(57)【特許請求の範囲】
【請求項１】
押鍵時に打弦可能な打弦部材の移動範囲に対して進退自在に設けられ、前記打弦部材の移動範囲に侵入した時に、前記打弦部材の打弦を阻止し、低音域の弦から高音域の弦の領域にかけて長尺状に形成されたストッパ部材を備える鍵盤楽器の消音装置において、
前記ストッパ部材を移動可能に支持する固定された固定部材と、
前記ストッパ部材を前記固定部材に連結する２つの連結部材と、
前記固定部材に設けられ、前記ストッパ部材に常時力を付与する力付与手段と、
前記ストッパ部材および前記連結部材とは分離された部材により構成されるとともに、前記ストッパ部材の少なくとも一方の端部に設けられた連結部材に接触するリンク受板を有し、前記リンク受板が前記端部に設けられた連結部材に接した状態で移動することにより、前記力付与手段の力に抗して前記ストッパ部材を移動させる駆動手段とを具備し、
前記各連結部材は、前記固定部材に垂直方向を軸方向として回転自在に結合される固定結合部と、前記ストッパ部材に垂直方向を軸方向として回転自在に結合されるストッパ結合部とを有しており、
２つの前記連結部材と前記ストッパ部材とで平行リンク機構を構成し、前記固定結合部を軸として前記連結部材を回動自在にすることにより、前記ストッパ部材を水平方向に移動可能に連結したことを特徴とする鍵盤楽器の消音装置。
【請求項２】
前記駆動手段は、前記力付与手段の力に抗して、前記打弦部材の移動範囲から待避した位置にある前記ストッパ部材を前記打弦部材の移動範囲に移動させることを特徴とする請求項１に記載の鍵盤楽器の消音装置。
【請求項３】
前記駆動手段は、前記力付与手段の力に抗して、前記打弦部材の移動範囲の位置にある前記ストッパ部材を前記打弦部材の移動範囲から待避した位置に移動させることを特徴とする請求項１に記載の鍵盤楽器の消音装置。
【請求項４】
前記駆動手段は、ペダル機構から伝達される力によって前記リンク受板を移動させることを特徴とする請求項１に記載の鍵盤楽器の消音装置。
【発明の詳細な説明】
【０００１】
【発明の属する技術分野】
本発明は、鍵盤楽器の消音装置に関する。
【０００２】
【従来の技術】
鍵盤楽器に電子音源を付属させた複合鍵盤楽器においては、通常の演奏モードと消音演奏モードとを切換可能にしている。通常の演奏モードでは、押鍵に伴ってハンマが打弦するのに対し、消音演奏モードでは、ハンマによる打弦を停止させる一方で、押鍵動作を検知手段で検知して、これに応じた楽音をヘッドフォンで演奏者が聴取できるようにしたり楽音に対応する信号を記録したりすることができる。
【０００３】
従来よりハンマの打弦による発音を防止する消音装置として、シャンクストッパが使用されている。このシャンクストッパは、長尺のレール状の部材であって、並列されたハンマシャンクを横断する方向に延在させられている。そして、演奏モードを切り換える際に、このシャンクストッパを変位させることにより、消音演奏モードでは、押鍵してもハンマシャンクがシャンクストッパに当接して停止することによって、ハンマが打弦せず、通常の演奏モードでは、ハンマシャンクがシャンクストッパに当接することなく、ハンマが打弦するようになっている。
【０００４】
このように、ハンマーシャンクを変位させる機構としては、シャンクストッパ、またはシャンクストッパと連結された駆動部材等をワイヤーの一端に接続し、このワイヤーの他端をペダルやボタン等に接続した構造のものが知られている。このような駆動機構を有する装置では、使用者がペダルを踏み下げると、これに接続されたワイヤーの変位に伴ってワイヤーに連結されたシャンクストッパが移動させられるようになっている。
【０００５】
【発明が解決しようとする課題】
しかし、上述したワイヤーを用いてシャンクストッパを駆動する機構では、使用者に操作されるペダル、これに接続されるワイヤ−、ワイヤーに接続される駆動部材、およびシャンクストッパ等が全て連結されているので、メンテナンス、またはシャンクストッパ駆動機構を後から取り付ける後付け作業を行う際の各部品の着脱作業が煩雑となる。また、いずれかの部品、例えば駆動部材を着脱した後には、駆動部材に連結されるシャンクストッパ等の各部品についての調整が必要となり、調整作業も複雑となる。
【０００６】
本発明は、上記の事情を考慮してなされたものであり、メンテナンス等の際の、各部品の着脱および調整作業が簡易な鍵盤楽器の消音装置を提供することを目的とする。
【０００７】
【課題を解決するための手段】
上記課題を解決するため、本発明の請求項１に記載の鍵盤楽器の消音装置は、押鍵時に打弦可能な打弦部材の移動範囲に対して進退自在に設けられ、前記打弦部材の移動範囲に侵入した時に、前記打弦部材の打弦を阻止し、低音域の弦から高音域の弦の領域にかけて長尺状に形成されたストッパ部材を備える鍵盤楽器の消音装置において、前記ストッパ部材を移動可能に支持する固定された固定部材と、前記ストッパ部材を前記固定部材に連結する２つの連結部材と、前記固定部材に設けられ、前記ストッパ部材に常時力を付与する力付与手段と、前記ストッパ部材および前記連結部材とは分離された部材により構成されるとともに、前記ストッパ部材の少なくとも一方の端部に設けられた連結部材に接触するリンク受板を有し、前記リンク受板が前記端部に設けられた連結部材に接した状態で移動することにより、前記力付与手段の力に抗して前記ストッパ部材を移動させる駆動手段とを具備し、前記各連結部材は、前記固定部材に垂直方向を軸方向として回転自在に結合される固定結合部と、前記ストッパ部材に垂直方向を軸方向として回転自在に結合されるストッパ結合部とを有しており、２つの前記連結部材と前記ストッパ部材とで平行リンク機構を構成し、前記固定結合部を軸として前記連結部材を回動自在にすることにより、前記ストッパ部材を水平方向に移動可能に連結したことを特徴としている。
【０００８】
また、請求項２に記載の鍵盤楽器の消音装置は、請求項１に記載の鍵盤楽器の消音装置において、前記駆動手段は、前記力付与手段の力に抗して、前記打弦部材の移動範囲から待避した位置にある前記ストッパ部材を前記打弦部材の移動範囲に移動させることを特徴としている。
【０００９】
また、請求項３に記載の鍵盤楽器の消音装置は、請求項１に記載の鍵盤楽器の消音装置において、前記駆動手段は、前記力付与手段の力に抗して、前記打弦部材の移動範囲の位置にある前記ストッパ部材を前記打弦部材の移動範囲から待避した位置に移動させることを特徴としている。
【００１０】
また、請求項４に記載の鍵盤楽器の消音装置は、請求項１に記載の鍵盤楽器の消音装置において、前記駆動手段は、ペダル機構から伝達される力によって前記リンク受板を移動させることを特徴としている。
【００１２】
【発明の実施の形態】
以下、図面を参照して本発明の実施形態について説明する。
Ａ．実施形態の構成
Ａ−１．全体構成
まず、図１は本発明の一実施形態に係る消音装置を備えたアップライトピアノの１つの鍵の動作に応じて駆動されるアクション機構を示す側断面図である。同図に示すアクション機構は、鍵１０と、この鍵１０の動作により駆動されるウイペン２３と、ウイペン２３の動作により駆動されるジャック２６により駆動されて弦Ｓを打撃するハンマアセンブリ４０と、ウイペン２３の動作により駆動される弦Ｓを押さえるダンパアセンブリ５０とを備えている。そして、押鍵により鍵１０の後端部（図１において左端部）が上昇し、そこに固定されたキャプスタン１２がウイペン２３を押し上げるようになっている。
【００１３】
図１において、符号１６はアクション機構の骨組みとなる固定されたセンタレールを示す。センターレール１６の下端部には、各鍵１０について１個ずつウイペンフレンジ２２が固定されている。ウイペンフレンジ２２の下端部には、板状のウイペン２３の一端部がピン２２ａによって回動自在に支持されている。ウイペン２３は長手方向をアップライトピアノの前後方向に向けて延在させられており、その他端部の下面にはウイペンヒール２４が固定されている。ウイペンヒール２４の下面は、キャプスタン１２に支持されている。
【００１４】
また、ウイペン２３には、上方へ向けて突出するジャックフレンジ２５が固定され、ジャックフレンジ２５の上端部には、ほぼＬ字状をなすジャック２６の屈曲部が回動自在に支持されている。ジャック２６は、斜め上方に向けて延在するジャック大２６ａと、このジャック大２６ａにほぼ直交するジャック小２６ｂとから構成されている。ジャック２６は、ウイペン２３に取り付けたジャックスプリング２７によりジャック小２６ｂが押し上げられることにより、図中反時計方向に付勢されている。ウイペン２３には、ジャック２６の他、バックチェック３８、ブライドルワイヤ３９ａ、ブライドルテープ３９ｂが取り付けられて、これらによりウイペンアセンブリが構成されている。
【００１５】
一方、センターレール１６には、ブラケット３１を介して鍵１０が並設された鍵盤の全長にわたって延在するレギュレーティングレール３２が固定されいてる。レギュレーティングレール３２には、スクリュー３３により上下方向の位置が調整可能とされたレギュレーティングボタン３４が取り付けられている。
【００１６】
符号４１は、ハンマアセンブリ４０の基部を構成するバットを示す。バット４１は、センターレール１６に固定されたバットフレンジ４２にセンターピン４２ａを介して回転自在に取り付けられている。バット４１には、斜め上方へ向けて延在するハンマシャンク４３が固定され、ハンマシャンク４３の上端部にはハンマ４４が固定されている。また、バット４１には、ハンマシャンク４３とほぼ直交する方向にキャッチャシャンク４５が固定され、キャッチャシャンク４５の先端部にはキャッチャ４６が固定されている。また、バット４１の左上端部には、これを時計方向へ付勢するバットスプリング４７が取り付けられている。さらに、バット４１の下面には、バットアンダーフェルト４１ａとこれを覆うバットアンダースキン４１ｂとが取り付けられ、バットアンダースキン４１ｂにはジャック大２６ａの上端面が当接している。
【００１７】
符号３６は固定されたハンマーレールを示す。ハンマレール３６は、鍵盤の全長にわたって延在し、その側面には、ハンマパッド３７が取り付けられている。そして、ハンマアセンブリ４０は、バットスプリング４７の付勢力により、ハンマシャンク４３をハンマパッド３７に当接させた初期位置に保持されている。また、ウイペン２３の自由端には、初期位置へ回動復帰するハンマアセンブリ４０のキャッチャ４６を弾性的に受け止めるバックチェック３８が固定されている。さらに、バックチェック３８の隣には、ブライドルワイヤ３９ａが取り付けられ、ブライドルワイヤ３９ａの上端部とキャッチャ４６とはブライドルテープ３９ｂによって連結されている。ブライドルテープ３９ｂは、ハンマアセンブリ４０の回動復帰をウイペン２３の回動復帰に追従させることにより、ハンマアセンブリ４０の跳ね返りに起因する弦Ｓの二度打ちを防止するためのものである。
【００１８】
また、センターレール１６には、ダンパフレンジ５１が取り付けられ、ダンパフレンジ５１には長手方向を上下方向へ向けたダンパレバー５２が回動自在に支持され、ダンパレバー５２の上端部には、ダンパワイヤ５３を介してダンパ５４が取り付けられている。ダンパ５４は、ダンパワイヤ５３にネジ５４ａによって固定されたホルダ５４ｂと、ホルダ５４ｂに固定された制振部５４ｃとを有している。ダンパレバー５２は、ダンパフレンジ５１に固定されたダンパレバースプリング５５によって反時計方向に付勢され、これにより、通常はダンパ５４の制振部５４ｃが弦Ｓを押さえて他の弦Ｓが打弦されたときの共振を防止している。一方、押鍵によりウイペン２３が反時計方向へ回動すると、ウイペン２３に取り付けたダンパスプーン５６がダンパレバー５２をダンパレバースプリング５５の付勢力に抗して時計方向へ回転させ、ダンパ５４を弦Ｓから離間させる。その後、ハンマ４４が弦Ｓを打撃して打弦音が発生する。
【００１９】
Ａ−２．消音装置の構成
次に、本実施形態に係る消音装置について説明する。符号２００は、鍵盤の全長にわたって延在するシャンクストッパレール（ストッパ部材）を示す。シャンクストッパレール２００は、後述する駆動機構によって水平方向（図の左右方向）に移動可能になされている。シャンクストッパレール２００は、ハンマシャンク４３の移動範囲に対して進退自在に設けられ、ハンマシャンク４３の移動範囲に侵入した時に、ハンマシャンク４３による打弦を阻止するようになされている。
【００２０】
ここで、図２は、シャンクストッパレール２００全体を示す斜視図である。シャンクストッパレール２００は、左右の取付部材６２に両端が連結されたレールベース６６と、レールベース６６の上にネジ止めされた３つのストッパレールセグメント６７ａ，６７ｂ，６７ｃと、ストッパレールセグメント６７ａ，６７ｂ，６７ｃにそれぞれ固定された緩衝部６８とから構成されている。緩衝部６８は、ハンマシャンク４３が当接し、ハンマシャンク４３による打撃を阻止する部分である。緩衝部６８は、発砲ウレタンで形成してもよいし、フェルトのような緩衝材を主体に形成してハンマシャンク４３で打撃される表面を合成皮革で覆うようにしてもよい。
【００２１】
ストッパレールセグメント６７ａ，６７ｂ，６７ｃは、それぞれ低音域用、中音域用、高音域用である。各ストッパレールセグメント６７ａ，６７ｂ，６７ｃは、断面Ｌ字形の部材であって、その大きい方の片がネジ６９によりレールベース６６上に締結されている。図３に示すように、各ストッパレールセグメント６７ａ，６７ｂ，６７ｃのネジ止めされる部分には、後部から前方へ延びる切り込み部７０が形成されており、この切り込み部７０にネジ６９を挿通してレールベース６６にこれを締結するようになっている。
【００２２】
従って、ネジ６９を緩めて再度締結することにより、それぞれのストッパレールセグメント６７ａ，６７ｂ，６７ｃは、他のストッパレールセグメント６７ａ，６７ｂ，６７ｃから独立して前後方向、すなわちハンマシャンク４３の揺動方向（図１参照）に沿って調節することができるようになっている。このようにストッパレールセグメント６７ａ，６７ｂ，６７ｃを３つ設けたのは、消音演奏時におけるハンマシャンク４３の停止位置をより細かく調整できるようにするためである。すなわち、低音弦用、中音弦用、高音弦用のストッパレールセグメント６７ａ，６７ｂ，６７ｃ毎に前後の位置を調節することにより、各音域毎に最適な位置でハンマシャンク４３の揺動を阻止することができる。これにより、ストッパ機構を有しない生ピアノに対して、低速で鍵を押下した時の弦とハンマとの最小距離を示す「接近」の変化を最小に抑えることが可能となるので、緩衝部６８を各音域毎に違う厚さにするような手間をかけることなく、各音域毎に適切なタッチ感を演奏者が感ずることが可能とされている。
【００２３】
また、図２に示すように、レールベース６６は、ほぼ真っ直ぐであって、水平に配置されているが、低音域用のストッパレールセグメント６７ａと中音域用のストッパレールセグメント６７ｂの間の部分６６ａにおいては、ストッパレールセグメント６７ｂの低音側が上方になるように傾斜させられている。また、中音用のストッパレールセグメント６７ｂの中でも低音に近い部分６７ｄは、低音から中音にかけて、低くなるように傾斜させられており、部分６７ｄに対応するレールベース６６および緩衝部６８の部分も同様に傾斜させられている。
【００２４】
これは、アップライトピアノにおいては、通常、低音域用の弦と中音以上の弦とが交差するように配置されており、中音域の低音に近い数弦用のハンマ４４およびダンパ５４が、他の弦のハンマ４４およびダンパ５４よりも高い位置にあるため、緩衝部６８とハンマシャンク４３の当接位置を適切にするとともに、その高い位置にあるダンパ５４がレールベース６６等に干渉しないようにするためである。
【００２５】
次に、センターレール１６（図１参照）の両端部に設けられた図示せぬアクションブラケットに固定された取付部材（固定部材）６２とレールベース６６との連結部について説明する。まず、図３および図４に示すように、レールベース６６の端部６６ｂは、ピン（ストッパ結合部）２０１によってリンク（連結部材）２０２と結合されている。リンク２０２は、ピン（固定結合部）２０３によって取付部材６２と結合されている。
【００２６】
一方、レールベース６６の他端部６６ｃは、ピン（ストッパ結合部）２１１によってリンク（連結部材）２１２と結合されている。リンク２１２は、ピン（固定結合部）２１３によって取付部材６２と結合されている。これらのピン２０１，２０３，２１１，２１３は、垂直方向（図４の紙面垂直方向）を軸方向としたリンク２０２，２１２の回転を許容するようになされており、リンク受板３００の移動により、固定配置された取付部材６２と結合されたピン２０３を中心軸としてリンク２０２は図４中矢印で示す方向に回動するようになっている。また、これに伴ってリンク２１２も固定配置された取付部材６２と結合されたピン２１３を中心軸として回動するようになっている。ここで、ピン２０１とピン２０３とを結ぶ距離および位置関係は、ピン２１１とピン２１３とを結ぶ距離および位置関係と同様になされており、リンク２０２，２１２が回動させられると、これらとピン２０１，２１１によって結合されたレールベース６６が図の下方であるハンマシャンク４３側に平行状態を維持したまま移動するようになっている。従って、この消音装置において、各ピンとリンク２０２，２１２とシャンクストッパレール２００とで平行リンク機構を構成している。
【００２７】
ここで、図３に示すように、リンク２０２の固定軸側（リンク２０２におけるピン２０３の周囲の部分）には、トーションバネ（力付与手段）２０１ａが巻き付けられており、このトーションバネ２０１ａの一端部がリンク２０２の側面に当接した状態となっている。これによりリンク２０２は、ピン２０３を軸として図４の時計方向に常時付勢されている。一方、リンク２０２は、平面形状が鈎型になされており、このリンク２０２の屈曲端部２０２ａが後述する駆動機構のリンク受板３００と接触させられている。これにより、この位置以上の時計方向へのリンク２０２の回動が規制され、後述する通常演奏時におけるリンク２０２が位置決めされるようになっている。
【００２８】
また、図５に示すように、消音演奏を行う場合、後述する駆動機構によってリンク受板３００が図の下方側であるハンマシャンク４３側（図１参照）に移動させられ、リンク受板３００の移動に伴って、これと接触するリンク２０２がトーションバネ２０１ａの付勢力に抗して反時計方向に回動させられる。これにより、レールベース６６がハンマシャンク４３側に移動させられる。従って、リンク２０２、およびこれに連動するレールベース６６は、リンク２０２の屈曲端部２０２ａに接触した状態で移動するリンク受板３００によって位置決めされるようになっている。なお、図５中二点鎖線は、通常演奏時（図４参照）のレールベース６６やリンク２０２，２１２等の位置を示す。
【００２９】
このような平行リンク機構によってレールベース６６をハンマシャンク４３の移動範囲内に移動させることにより、レールベース６６や緩衝部６８の姿勢が変更することが防止される。また、レールベース６６を移動させるリンク２０２やリンク２１２は、垂直方向には移動せずにレールベース６６と同様に水平方向に移動するため、鍵盤の全長にわたって延在する細長いレールベース６６等にねじれが生じることを低減できる。従って、本実施形態のようにレールベース６６の一端側に結合されたリンク２０２をリンク受板３００の移動に伴って移動させても、つまり１箇所でシャンクストッパレール２００を駆動するようにしても、ねじれの発生等が問題とならず、簡易な駆動機構でシャンクストッパレール２００を駆動することが可能となる。
【００３０】
また、図４および図５に示すように、ハンマシャンク４３側（図の下方側）から、つまり緩衝部６８を打撃する方向側から視ると、消音演奏時（図５参照）には、ピン２０１が固定軸であるピン２０３よりも高音側（図の右側）に位置し、通常演奏時（図４参照）には、ピン２０１がピン２０３よりも低音側（図の左側）に位置するようになっている。また、ピン２１１も消音演奏時ではピン２１３の低音側、通常演奏時ではピン２１３の高音側に位置するようになっている。このようにピン２０１およびピン２１１が位置するように構成することによって、ハンマシャンク４３が緩衝部６８を打撃した際の衝撃によってシャンクストッパレール２００が通常演奏時時の位置、つまり待避位置に戻ってしまうことを防止することができる。このようにシャンクストッパレール２００の戻りを防止できる理由について説明する。消音演奏時にはリンク２０２，２１２とレールベース６６が結合されるピン２０１，２１１の位置が固定軸であるピン２０３，２１３よりも高音側に位置するようになっている。この状態でハンマーシャンク４３が緩衝部６８を打撃すると、その衝撃によってリンク２０２，２１２は図中反時計方向に回動しようとする。つまり、リンク２０２，２１２は通常演奏時の状態（図４参照）に戻ろうとする方向と反対側の方向に回動しようとする。従って、ハンマシャンク４３が緩衝部６８を打撃した場合にも、レールベース６６および緩衝部６８が通常演奏時の位置に戻ってしまうことを防止できる。
【００３１】
また、消音演奏時には、上述したようにハンマシャンク４３の打撃によってリンク２０２，２１２が反時計方向に回動しようとするが、取付部材６２をリンク２０２，２１２の側面に当接するような形状とすれば、リンク２０２，２１２が取付部材６２との当接位置よりも反時計方向へ回動することを防止できる。また、このようにすれば、ハンマシャンク４３の打撃による衝撃がリンク２０２，２１２から取付部材６２に伝達され、リンク２０２，２１２の振動を抑制することもできる。
【００３２】
Ａ−３．駆動機構の構成
次に、図６は、上述したシャンクストッパレール２００を駆動する駆動機構（駆動手段）３５０を示す斜視図であり、図７はこの駆動機構３５０を示す平面図である。図６および図７に示すように、この駆動機構３５０は、このアップライトピアノの親板３０４にねじ３０１によって固定される板状の取付部材３０６を備えている。取付部材３０６は、アップライトピアノの前面側（図７の左側）と裏面側（図７の右側）の２箇所に突設された軸支持部３０６ａを有しており、軸支持部３０６ａはスライド軸３０５の両端をそれぞれ支持している。
【００３３】
スライド軸３０５には、スライドブロック３０３がスライド軸３０５に沿って移動可能に支持されている。このスライドブロック３０３には、受板ホルダ３０２が取り付けられており、これにより受板ホルダ３０２はスライドブロック３０３の移動に伴って移動するようになっている。
【００３４】
受板ホルダ３０２は、スライドブロック３０３にねじ３０１によってねじ止めされる取付部３０２ｂと、垂直方向に延在し、その上部に上述したリンク受板３００が取り付けられる受板保持部３０２ａとを有している。すなわち、リンク受板３００は、受板ホルダ３０２を介してスライドブロック３０３に取り付けられており、これによりスライドブロック３０３の移動に伴ってリンク受板３００も移動するようになっている。ここで、リンク受板３００には、上述したシャンクストッパレール２００の長手方向に伸びる長孔３００ａが形成されており、この長孔３００ａを挿通させられるねじ３０１によって受板ホルダ３０２の取り付けられている。従って、長孔３００ａの範囲内でねじ３０１のねじ止め位置を調整することにより、リンク受板３００の取付位置をシャンクストッパレール２００の長手方向に調整することができるようになっている。
【００３５】
また、受板ホルダ３０２は、取付部３０２ｂの下方に連なる連結棒支持部３０２ｃを有している。連結棒支持部３０２ｃには、連結棒３０７の屈曲端３０７ａが回転自在に軸支されており、連結棒３０７の他方の屈曲端３０７ｂは、レバー部材３０８の下部に回転自在に軸支されている。レバー部材３０８の上部は、取付部材３０６に支持された回転軸３０９に回転自在に支持されている。ここで、連結棒３０７の屈曲端３０７ａには、コイルばね３１０の一端が係合されている。コイルばね３１０の他端は、親板３０４に取り付けられたヒートン３１１に係合されており、これにより連結棒３０７と連結される受板ホルダ３０２およびレバー部材３０８はアップライトピアノの裏面側に付勢されている。つまり、コイルばね３１０によって、レバー部材３０８を図６中反時計方向に回動させるような力が加えられている。一方、レバー部材３０８の上端部における回転軸３０９よりもアップライトピアノの裏面側（図７の右側）には、切り欠き部３０８ａが形成されている。この切り欠き部３０８ａに後述するペダル機構と連結されたマフラー吊金具４００の先端部が引っかけられており、これによりレバー部材３０８の反時計方向への回動が規制されてレバー部材３０８および受板ホルダ３０２等が位置決めされる。
【００３６】
この構成の下、マフラー吊金具４００が引き下げられると、図８に示すように、コイルばね３１０の付勢力に抗してレバー部材３０８が回転軸３０９を軸として図８中時計方向に回動させられる。これに伴って連結棒３０７および受板ホルダ３０２を介してレバー部材３０８と連結されたスライドブロック３０３がアップライトピアノの前面側に移動させられる。すなわち、リンク受板３００がアップライトピアノの前面側に移動させられる。
【００３７】
一方、図８に示す状態からマフラー吊金具４００が上方に押し上げられると、コイルばね３１０によってレバー部材３０８が反時計方向に回動させられ、図６に示す状態に戻る。すなわち、リンク受板３００がアップライトピアノの裏面側に移動させられる。このように、本実施形態に係る消音装置の駆動機構３５０は、ペダル機構に連結されたマフラー吊金具４００によって伝達される力によってリンク受板３００を移動させ、これと接触させられているリンク２０２を介してシャンクストッパレール２００を駆動している。
【００３８】
次に、マフラー吊金具４００を移動させるペダル機構について図９を用いて説明する。同図に示すように、本実施形態に係る消音装置を備えたアップライトピアノのペダル機構は、ソフトペダル４０１、マフラーペダル４０２およびラウドペダル４０３を備えており、各ペダルは、それぞれソフトペダル機構４０４、マフラーペダル機構４０５、ラウドペダル機構４０６に連結され、こららの各機構を駆動する。このうち、ソフトペダル機構４０４およびラウドペダル機構４０６については、従来の基本的なアコースティックピアノと同様であるため、その説明を省略し、以下、マフラーペダル機構４０５についてのみ説明する。
【００３９】
マフラーペダル機構４０５は、順次連結された第１のペダル吊金具４１０、小レバー４１１、第２のペダル吊金具４１２、小レバー４１３およびマフラー吊金具４００を備えている。第１のペダル吊金具４１０の下端は、マフラーペダル４０２の後端部に連結されている。そして、使用者がマフラーペダル４０２を踏み下げ操作すると、これに連結された第１のペダル吊金具４１０、小レバー４１１、第２のペダル吊金具４１２、小レバー４１３およびマフラー吊金具４００がそれぞれ矢印方向に移動もしくは回動する。マフラー吊金具４００の上端は、上述したように駆動機構３５０のレバー部材３０８（図６等参照）に引っかけられている。従って、マフラーペダル４０２が踏み下げ操作されると、マフラー吊金具４００が下方に移動し、上述したように駆動機構３５０によってシャンクストッパレール２００がアップライトピアノの前面側であるハンマシャンク４３の移動範囲に移動させられる。
【００４０】
このように、本実施形態に係る消音装置を備えたアップライトピアノでは、通常マフラーペダル４０２の操作によって駆動されるマフラーフレームに代えて、駆動機構３５０を介してシャンクストッパレール２００を駆動するようになっている。
【００４１】
なお、図示はしないが、このアップライトピアノのマフラーペダル４０２等の各ペダルには、ラチェット機構が設けられ、一度踏み込むとラチェット機構の働きによりペダルが戻らないように保持されるようになっている。また、ラチェット機構により保持されペダルを再度踏み込むとラチェット機構が解除され、ペダルが元の位置に戻るようになっている。
【００４２】
Ｂ．実施形態の動作
Ｂ−１．通常演奏時の動作
次に、上記構成の消音装置を備えるアップライトピアノの動作について、通常演奏時と消音演奏時とに分けて説明する。まず、通常演奏を行う場合には、マフラーペダル４０２は踏み下げられた状態ではなく、図１０に示すように、シャンクストッパレール２００がハンマシャンク４３の移動範囲から待避した位置に配置される。
【００４３】
この状態で鍵１０が押下されると、ウイペン２３はキャプスタン１２によって突き上げられ、ピン２２ａを中心として反時計方向に回動する。これによりジャック大２６ａがバット４１を突き上げてハンマアセンブリ４０を反時計方向へ回動させ、ハンマ４４が押鍵された鍵１０に対応する弦Ｓを打撃する。この打撃操作時において、ジャック２６は、その回動途中にジャック小２６ｂがレギュレーティングボタン３４に当接することによりそれ以上の反時計方向への回動が阻まれる。一方、ウイペン２３は回動を継続しているため、ジャック２６はレギュレーティングボタン３４を支点としてウイペン２３に対して時計方向へ相対的に回動し、これによりジャック大２６ａの上端面がバット４１の下面から図中右方向へ逃げ、バット４１との非当接位置に移動する。そして、ハンマ４４による打弦後のハンマアセンブリ４０の回動復帰の動作は、キャッチャ４６がバックチェック３８に当接することにより一時的に停止され、その間にジャック２６は、鍵１０の復帰動作に伴うウイペン２３の回動復帰に連動し、ジャック大２６ａの上端部は再びバット４１の下部に入り込み、次の打弦動作を可能にする。
【００４４】
また、押鍵によりウイペン２３が反時計方向へ回動すると、ウイペン２３に取り付けたダンパスプーン５６がダンパレバー５２をダンパ５４の付勢力に抗して時計方向に回転させ、鍵１０に対応するダンパ５４を弦Ｓから離間させる。その後、ハンマ４４が弦Ｓを打撃して打弦音が発生する。
【００４５】
Ｂ−２．消音演奏時
次に、消音演奏時の動作について説明する。消音演奏を行う場合には、マフラーペダル４０２を踏み込んでマフラー吊金具４００を引き下げる（図９参照）。マフラー吊金具４００を引き下げると、駆動機構３５０によってレールベース６６に取り付けられた緩衝部６８が初期の向きを維持したまま図１１の右方向、つまりアップライトピアノの前面側に移動させられる。すなわち、ハンマシャンク４３の移動範囲にシャンクストッパレール２００が移動させられる。
【００４６】
この状態で押鍵が行われると、ウイペン２３はキャプスタン１２によって突き上げられ、ピン２２ａを中心として時計回りに回動する。これにより、ジャック大２６ａがバット４１を突き上げてハンマアセンブリ４０を反時計方向へ回転させる。次に、ジャック小２６ｂがレギュレーティングボタン３４に当接することにより、ジャック大２６ａの上端面がバット４１の下面から図１中右方向へ逃げる。その間、ハンマアセンブリ４０は慣性力で回動を続けるが、ハンマ４４が弦Ｓに当たる手前でハンマシャンク４３が緩衝部６８に当接し（図１１仮想線参照）、時計回りの方向へ跳ね返される。その後のハンマアセンブリ４０等の復帰動作は通常演奏の場合と同じである。また、ダンパ５４の動作についても通常演奏時の場合と同様である。
【００４７】
本実施形態に係る消音装置では、使用者によってマフラーペダル４０２が操作されると、駆動機構３５０のリンク受板３００によってリンク２０２が押されて回動させられる。このリンク２０２の回動に伴ってシャンクストッパレール２００が移動するようになっている。すなわち、駆動機構３５０と、移動させられるシャンクストッパレール２００とが連結されているわけではなく単に接触しているだけであるため、消音装置自体もしくはアクション機構のメンテナンス等の作業を行う際における消音装置の各部品の着脱作業が容易となる。具体的には、左右方向に延在するシャンクストッパレール２００と駆動機構３５０との連結等を解除する必要がなく、これらを個別に着脱することができる。さらに、シャンクストッパレール２００の部分と駆動機構３５０の部分とを個別に調整することが可能であり、調整作業も容易となる。また、この消音装置をアコースティックピアノ等に後付けする場合の取り付け作業および調整作業も容易である。
【００４８】
また、上述したように通常のアコースティックピアノと同様のマフラーペダル機構４０５を用いて駆動機構３５０に動力を伝達し、シャンクストッパレール２００を駆動するようにしているため、通常のアコースティックピアノに対する変更部品や追加部品が少ない。従って、通常のアコースティックピアノに後付けする消音装置として好適であるとともに、より安価に提供することが可能となる。
【００４９】
Ｃ．変形例
なお、本発明は、上述した実施形態に限定されるものではなく、以下のような種々の変形が可能である。
【００５０】
（１）上述した実施形態においては、マフラーペダル機構４０５のマフラー吊金具４００の上下動を利用して駆動機構３５０を介してシャンクストッパレール２００を駆動するようにしていたが、これに限らず、上述したソフトペダル４０１、マフラーペダル４０２およびラウドペダル４０３に加えて消音ペダルを設け、この消音ペダルを操作することにより、駆動機構３５０に駆動力を伝達するようにしてもよい。この場合、マフラーペダル機構４０５には、通常のアコースティックピアノと同様にマフラーフレームを連結するようにすればよい。
【００５１】
（２）また、上述した実施形態においては、使用者によるマフラーペダル４０２の操作力をマフラーペダル機構４０５を介して駆動機構３５０に伝達するようにしていたが、これに限らず、駆動機構３５０に他の駆動源から駆動力を付与するようにしてもよい。例えば、ソレノイドユニットのプランジャにリンク受板３００を取り付けてリンク受板３００を移動させるようにしてもよいし、上述した実施形態のようにレバー部材３０８やコイルばね３１０を用いてスライドブロック３０３を駆動せずに、スライドブロック３０３をボールねじを用いて駆動するようにしてもよい。
【００５２】
（３）また、上述した実施形態においては、トーションバネ２０１ａの弾性力によって、シャンクストッパレール２００をハンマシャンク４３の移動範囲から待避させるようにしていたが、トーションバネ２０１ａに代えてシャンクストッパレール２００をハンマシャンク４３の移動範囲から待避させるようにリンク２０２を押圧して回動させるリンク受板を設けるようにしてもよい。
【００５３】
（４）また、本発明は、上述したアップライトピアノに限定されるわけではなく、グランドピアノなどの他の鍵盤楽器に適用することも可能である。
【００５４】
【発明の効果】
以上説明したように、本発明によれば、メンテナンス等の際の、各部品の着脱および調整作業が簡易となる。
【図面の簡単な説明】
【図１】  本発明の一実施形態に係る消音装置を備えたアップライトピアノの１つの鍵の動作に応じて駆動されるアクション機構を示す側断面図である。
【図２】  前記消音装置の構成要素であるシャンクストッパレールを示す斜視図である。
【図３】  前記シャンクストッパレールと、前記消音装置の構成要素であるリンクの結合部付近の詳細を示す斜視図である。
【図４】  通常演奏時における前記シャンクストッパレールを示す平面図である。
【図５】  消音演奏時における前記シャンクストッパレールを示す平面図である。
【図６】  通常演奏時における前記シャンクストッパレールを駆動する駆動機構を示す斜視図である。
【図７】  通常演奏時における前記駆動機構を示す平面図である。
【図８】  消音演奏時における前記駆動機構を示す斜視図である。
【図９】  前記消音装置を備えたアップライトピアノのペダル機構を示す斜視図である。
【図１０】  通常演奏時における前記アップライトピアノのアクション機構を示す側断面図である。
【図１１】  消音演奏時における前記アップライトピアノのアクション機構を示す側断面図である。
【符号の説明】
１０……鍵、４０……ハンマアセンブリ（打弦部材）、４３……ハンマシャンク、６２……取付部材（固定部材）、２００……シャンクストッパレール（ストッパ部材）、２０１……ピン（ストッパ結合部）、２０１ａ……トーションバネ（力付与手段）、２０２……リンク（連結部材）、２０３……ピン（固定結合部）、２１１……ピン（ストッパ結合部）、２１２……リンク（連結部材）、２１３……ピン（固定結合部）、３００……リンク受板、３５０……駆動機構（駆動手段）、４００……マフラー吊金具、４０２……マフラーペダル、４０５……マフラーペダル機構
【図１】
0003873522.tif 000002
【図２】
0003873522.tif 000003
【図３】
0003873522.tif 000004
【図４】
0003873522.tif 000005
【図５】
0003873522.tif 000006
【図６】
0003873522.tif 000007
【図７】
0003873522.tif 000008
【図８】
0003873522.tif 000009
【図９】
0003873522.tif 000010
【図１０】
0003873522.tif 000011
【図１１】
0003873522.tif 000012